(57)【特許請求の範囲】
【請求項１】
電気的な機械のための電機子（２０）であって、少なくともロータ軸（２２）と、少なくとも２つの積層薄板（１）と、該積層薄板（１）によって保持されたｎ個の磁石（２４）とを有しており、前記積層薄板（１）は少なくとも１つの閉じたポケット（５）と半径方向で外へ開いたポケット（７）とを有しており、前記積層薄板（１）はロータ軸（２２）が配置される孔（９）を中央に有する基体（２）と該基体（２）から半径方向に突出する複数の突起（１３）とを備え、前記開いたポケット（７）は互いに隣接する２つの突起（１３）と該隣接する２つの突起（１３）との間における基体（２）とにより形成され、前記少なくとも１つの閉じたポケット（５）は、基体（２）から距離をおいて配置された、互いに隣接する２つの突起（１３）を結合する１つのウエブ（１１）によって前記２つの突起（１３）間が閉じられることで形成されており、前記突起（１３）は前記磁石（２４）を案内する前記ポケット内へ向けられた突出部（１４）を備え、前記磁石（２４）は前記積層薄板（１）の前記閉じたポケット（５）内に配置されており、電機子（２０）がｎ個の磁石（２４）を有し、前記少なくとも１つの積層薄板（１）がｎ−ｍ個の前記閉じたポケット（５）とｍ個の半径方向で外へ開いたポケット（７）とを有し、ｍがｎよりも小さく、０よりも大きく選ばれており、前記積層薄板（１）が積み重ねられて薄板パッケージ（１５）を形成し、該薄板パッケージ（１５）において前記積層薄板（１）は互いに回動させられて積み重ねられており、薄板パッケージ（１５）において半径方向で開いたポケット（７）が半径方向のスリットを形成しており、射出成形コーティングにより、前記積み重ねられた積層薄板（１）を薄板パッケージ（１５）を形成するために固定すると共に、磁石（２４）を薄板パッケージ（１５）に固定していることを特徴とする電機子。
【発明の詳細な説明】
【０００１】
技術分野
本発明は請求項１に記載した形式の電機子から出発している。
【０００２】
ＪＰ２０００１５２５３５Ａ号によれば磁石のために開いたポケットしか有しておらず、該ポケット内に磁石が形及び摩擦接続で保持されている積層薄板スタックが公知である。個々の積層薄板は磁石をその外周にて保持する外側のウェブを有していない。積層薄板に対する機械的な負荷は大きい。
【０００３】
ＪＰ０９０４６９４６Ａ号からは、磁石が積層薄板が閉じられたポケット内に完全に配置されている積層薄板スタックが公知である。この場合には磁石を外周にて掴みかつポケットを閉鎖するウェブの付加的な鉄によってウェブと磁石の縁領域とにおいては顕著な磁気流損失が発生する。この結果、積層薄板スタックが使用される電気的な機械の出力減退が生じる。
【０００４】
ＵＳ−ＰＳ２，３２３，１１４号明細書によれば薄板パッケージのための積層薄板の特殊な構成によって磁気的な流れ損失が減じられている薄板パッケージが公知である。この場合にはステータ歯が少なくとも部分的に互いに分離されている。
【０００５】
ＵＳ−ＰＳ４，７７７，３９７号明細書によれば、所定数の積層薄板が閉じたポケットだけを有し、このポケット内に磁石が少なくとも部分的に配置されている電機子が公知である。他の積層薄板は開いたポケットしか有していないので、そこでは磁石の外周部は薄板によっては取囲まれない。磁石は接着剤によって、開いたポケット内に確保される。ここでは２つの異なる構成の積層薄板が必要である。
【０００６】
発明の利点
これに対し、請求項１の特徴を有する本発明による電機子は、簡単な形式で磁石が薄板パッケージによって固定されかつ磁気的な磁気流損失が減じられるという利点を有している。
【０００７】
従属請求項に述べた特徴によっては請求項１に述べた電機子の有利な変更と改善とが可能である。
【０００８】
磁石の周囲に射出成形されることで磁石は薄板パッケージ内に有利な形式で固定される。これは例えばプラスチック射出成形で行なうことができる。この結果、外部からの環境の影響に対する保護も保証される。
【０００９】
図面
本発明の１実施例が図面に簡略化されて示されており、以後、これについて詳細に説明する。
【００１０】
実施例の説明
図には基体２と、該基体２から半径方向外方へ突出する複数の突起１３とから成る積層薄板１が示されている。ほぼ正方形の外郭を備えた基体２は中央に孔９を有し、該孔９内にはロータ軸２２（図３）が配置されている。基体２はロータ軸２２を完全にその半径方向外周にて取囲んでいる。例えば基体２の角隅に設けられた突起１３は磁石２４（図３）が配置されているポケット３を形成する。積層薄板１はｎ個のポケットを有している。［ｎ−ｍ］個のポケット（この場合ｍはｎより小さく零より大きい）は少なくとも１つの積層薄板１にて閉じたポケット５を形成している。このポケット５はウェブ１１が２つの突起１３を互いに基体２に対して間隔をおいて結合していることで形成されている。この実施例においては４つの突起１３で形成された４つのポケット３があり、その内の１つは閉じたポケット５である。したがって数ｎは４であり、数ｍは３である。つまり開いたポケット７は３つ存在している。突起１３は、この縁領域における磁気的な流れ損失が著しく減じられるように構成されている。突起１３にはポケット３内へ向けられた突出部１４が設けられている。この突出部１４は磁石を点で案内しかつ流れ損失を低減させる。
【００１１】
図２には積層薄板１がどのように配置されて薄板パッケージ１５を形成するかが示されている。この実施例では薄板パッケージ１５内に４つの磁石２４が保持されることができる。しかし薄板パッケージ１５の積層薄板１は、より少ないか又はより多くの磁石２４が存在するように構成されていることもできる。したがって例えば直接的に隣接する積層薄板１は磁石の数又は９０゜（磁石の数又はｎで３６０゜を割った角度）だけ連続的に互いに回動させられている。互いに回動させられた積層薄板を前記形式で積み重ねることによって、閉じたポケット５により４つの受容部１８が形成されかつ半径方向で確保される。薄板パッケージ１５の前記櫛状の構造によって磁気的な流れ損失は著しく減じられる。積層薄板１は公知の形式で互いに結合され、薄板パッケージ１５を形成する。又、薄板パッケージ１５を形成するために積層薄板１には唯一の構成しか必要でなくなる。図２に示された実施例では基体２の２つの角隅部だけに突起１３が設けられかつウェブ１１によって結合されている。
【００１２】
図３には電気的な機械、例えば電気的なモータ又は電気的な発電機のために構成された、本発明による電機子が示されている。
【００１３】
電機子２０はロータ軸２２を有し、該ロータ軸２２は孔９内に配置されかつ薄板パッケージ１５と不動に結合されている。受容部１８内には磁石２４が配置されている。磁石２４は例えばプレス嵌めで、積層薄板１のポケット５，７内に固定されている。さらに薄板パッケージ１５の周囲を磁石２４と一緒に射出成形、例えばプラスチック射出成形で射出成形し、これによって磁石２４を薄板パッケージ１５内に固定することもできる。同様に積層薄板１を前記射出成形で固定して薄板パッケージ１５を形成することもできる。
【００１４】
本発明による電機子２０は図示の実施例に限定されるものではない。磁石の数が４である場合に、２又は３つの閉じられたポケット５が存在していることもできる。この場合には個々の積層薄板は例えば１８０゜の角度だけ回動させられる。又、磁石の数がより大きい場合又はより小さい場合に開いたポケットと閉じたポケットの数に他の数を選ぶことも考えられる。同様に薄板パッケージ１５にて局所的に開いたポケット７しか有していないか閉じたポケット５しか有していない積層薄板１が存在していることもできる。又、積層薄板５には２つ以上の連続する同じ積層薄板１が互いに回動させられず、それに次いで少なくとも１つの積層薄板１を前記積層薄板１に対し回動させて配置することもできる。
【図面の簡単な説明】
【図１】  本発明の電機子のための積層薄板を示した図。
【図２】  図１の積層薄板から形成された薄板パッケージを示した図。
【図３】  本発明による電機子を示した図。
【符号の説明】
１  積層薄板、  ２  基体、  ３  ポケット、  ５  ポケット、  ７  ポケット、  ９  孔、  １１  ウェブ、  １３  突起、  １４  突出部、  １５  薄板パッケージ、  １８  受容部、  ２０  電機子、  ２２  ロータ軸、  ２４  磁石
【図１】
0004773039.tif 000002
【図２】
0004773039.tif 000003
【図３】
0004773039.tif 000004